(57)【特許請求の範囲】
【請求項１】
熱源機から配管を介して１つ以上の温水端末に温水を供給し、それぞれの温水端末に接続される暖房機に前記温水を供給することにより暖房を行う暖房システムであって、暖房機を最適な状態で作動するための最適作動用温水温度が前記熱源機から供給される温水の温度と低温方向に異なる温水温不適合暖房機が前記温水端末のうちの１つ以上の温水端末に接続されており、前記温水温不適合暖房機が接続されている温水端末の近傍には該温水端末に供給される温水の温度を検出する温水温度検出手段と、前記温水端末から対応する温水温不適合暖房機への温水供給オンオフ動作を行う温水供給オンオフ弁と、該温水供給オンオフ弁のオン動作とオフ動作のタイミングを制御する弁オンオフタイミング制御手段とを有し、前記温水温不適合暖房機に不適合の高温の温水が前記熱源機から前記温水温不適合暖房機に供給されている状態で、前記弁オンオフタイミング制御手段が前記温水温不適合暖房機の暖房設定温度と前記温水温度検出手段により検出される検出温度とに基づき、該検出温度と前記温水温不適合暖房機の暖房設定温度とに対応させて前記温水供給オンオフ弁のオン時間は前記温水温不適合暖房機の温水入口側から温水出口側に温水が至るまでの時間よりも長めの一定の時間としてオフ時間を前記暖房設定温度が高くなるにつれて短くするように予め定めたタイミング制御情報に従って、前記温水供給オンオフ弁のオン動作とオフ動作のタイミングを制御することを特徴とする暖房システム。
【請求項２】
弁オンオフタイミング制御手段は、温水温不適合暖房機の運転開始から予め定めたオンオフタイミング制御開始条件が満たされるまでの間は温水供給オンオフ弁をオン状態とし、前記オンオフタイミング制御開始条件が満たされたと判断したときに温水供給オンオフ弁のオン動作とオフ動作とを交互に繰り返す動作タイミングの制御を開始することを特徴とする請求項１記載の暖房システム。
【請求項３】
弁オンオフタイミング制御手段は、温水温不適合暖房機の運転開始から予め定めた設定待機時間が経過したときにオンオフタイミング制御開始条件が満たされたと判断して温水供給オンオフ弁のオン動作とオフ動作とを交互に繰り返す動作タイミング制御を開始することを特徴とする請求項２記載の暖房システム。
【請求項４】
暖房機の暖房温度を検出する暖房温度検出手段を有し、弁オンオフタイミング制御手段は前記暖房温度検出手段により検出される温度が暖房機の暖房設定温度から予め定められた判断用基準温度を引いた値に達したときにオンオフタイミング制御開始条件が満たされたと判断して温水供給オンオフ弁のオン動作とオフ動作とを交互に繰り返す動作タイミング制御を開始することを特徴とする請求項２または請求項３記載の暖房システム。
【請求項５】
暖房機の少なくとも１つは、温水を通すパイプが配設された板状のマット部と、該マット部に接続されて前記パイプと温水端末とを連通接続するヘッダーとを有する暖房マットであることを特徴とする請求項１乃至請求項４のいずれか一つに記載の暖房システム。
【発明の詳細な説明】
【技術分野】
【０００１】
本発明は、例えば、熱源機から供給される温水を用いてエアコンや暖房マット等の暖房機を作動させて暖房を行う暖房システムに関するものである。
【背景技術】
【０００２】
例えば図６に示すように、熱源機４０によって作り出される温水を、配管を介して１つ以上（一般には複数）の温水端末９（ここでは９ａ，９ｂ）に供給し、温水端末９に接続されるエアコン４７や移動型ファンコンベクター４８等の暖房機に温水を供給して暖房を行う暖房システムが用いられている。温水端末９は、必要に応じ、例えばリビング等の部屋に設けられるものであり、熱源機４０からは８０℃といった高温の温水（湯）が各温水端末９に供給されるようになっていた。
【０００３】
なお、暖房システムの中には、供給する温水の温度を８０℃または６０℃に可変できる機能を持つものもあるが、この種の暖房システムにおいても複数の温水端末９には全て同じ温度の温水が供給され、しかも、８０℃の温水を供給することが優先的に定められている。つまり、エアコン４７等、８０℃の温水の供給が必要なものが複数の温水端末９のうちの１つにでも接続されていると、それに対応させて、熱源機４０からは８０℃の温水が全ての温水端末９に供給されるようになっている。
【０００４】
エアコン４７や移動型ファンコンベクター４８等の暖房機にはオンオフ弁（図示せず）が内蔵されており、このオンオフ弁によって暖房機への温水供給をオンオフし、暖房機の放熱量が制御されて暖房設定温度での暖房が行われる。
【０００５】
暖房機には様々なものがあるが、温水供給により作動する暖房機の代表例として、暖房マット（温水マット）があり、一般的に、暖房マットは、最適な状態で作動するための最適作動用温水温度が６０℃である。なお、中には、高温温水供給に対応した暖房マット（暖房パネル）も考えられてはいるが、この暖房パネルは一般的に用いられているものではない（例えば特許文献１、参照。）。
【０００６】
【特許文献１】実公昭５９−１３５４４
【発明の開示】
【発明が解決しようとする課題】
【０００７】
ところで、近年、床暖房の需要が増えてきているので、例えば図６のような暖房システムにおいて、温水端末９に、移動型ファンコンベクター４８等の代わりに暖房マットを接続して床暖房を行うことが考えられる。このように、既存の温水端末９を利用して床暖房を行えば、床暖房のために新たな暖房システムを形成する場合に比べ、コストダウンを図ることができると考えられる。
【０００８】
しかしながら、前記の如く、一般に用いられている暖房マットは、最適な状態で作動するための最適作動用温水温度が６０℃であり、熱源機４０から温水端末９に供給される温水温度と異なるので、例えば図６に示したような暖房システムの温水端末９に最適作動用温水温度が６０℃の暖房マットを接続すると、熱源機４０から暖房マットへ供給される温水の温度と暖房マットの最適作動用温水温度とが異なってしまう。
【０００９】
また、暖房マットには、エアコン４７等の暖房機に内蔵されているようなオンオフ弁が設けられていないので、暖房マットへの温水供給をオンオフすることができない。
【００１０】
したがって、単純に、既存の温水端末９に暖房マットを接続しても、その暖房マットの温度ムラが大きくなり、暖房マットを暖房設定温度で良好に作動させて快適な床暖房を行うことはできないため、既存の温水端末９を利用しての暖房システムの形成は困難であった。
【００１１】
なお、前記提案例の暖房パネルは、高温温水供給に対応させて考えられたものの、温水供給のオンオフ弁を有しているものではなく、この提案例は、暖房パネルの管路に供給する温水の流量調節用の弁を暖房パネルの外部配管に設けて暖房温度の調節を行うものなので、図６に示したような既存の暖房システムに適用することはできない。また、提案例の暖房パネルは、パネル内の温度ムラをなくすことが容易でないという問題もある。
【００１２】
本発明は上記課題を解決するためになされたものであり、その目的は、例えば既存のシステムを利用することによりコストダウンが可能であり、暖房マット等の暖房機を最適な状態で作動するための温度より高い温度の温水が熱源機から供給されても、暖房機を良好に作動させて快適な暖房を行うことができる暖房システムを提供することにある。
【課題を解決するための手段】
【００１３】
本発明は上記目的を達成するために、次の構成をもって課題を解決する手段としている。すなわち、第１の発明は、熱源機から配管を介して１つ以上の温水端末に温水を供給し、それぞれの温水端末に接続される暖房機に前記温水を供給することにより暖房を行う暖房システムであって、暖房機を最適な状態で作動するための最適作動用温水温度が前記熱源機から供給される温水の温度と低温方向に異なる温水温不適合暖房機が前記温水端末のうちの１つ以上の温水端末に接続されており、前記温水温不適合暖房機が接続されている温水端末の近傍には該温水端末に供給される温水の温度を検出する温水温度検出手段と、前記温水端末から対応する温水温不適合暖房機への温水供給オンオフ動作を行う温水供給オンオフ弁と、該温水供給オンオフ弁のオン動作とオフ動作のタイミングを制御する弁オンオフタイミング制御手段とを有し、前記温水温不適合暖房機に不適合の高温の温水が前記熱源機から前記温水温不適合暖房機に供給されている状態で、前記弁オンオフタイミング制御手段が前記温水温不適合暖房機の暖房設定温度と前記温水温度検出手段により検出される検出温度とに基づき、該検出温度と前記温水温不適合暖房機の暖房設定温度とに対応させて前記温水供給オンオフ弁のオン時間は前記温水温不適合暖房機の温水入口側から温水出口側に温水が至るまでの時間よりも長めの一定の時間としてオフ時間を前記暖房設定温度が高くなるにつれて短くするように予め定めたタイミング制御情報に従って、前記温水供給オンオフ弁のオン動作とオフ動作のタイミングを制御する構成をもって課題を解決する手段としている。
【００１４】
また、第２の発明は、上記第１の発明の構成に加え、前記弁オンオフタイミング制御手段は、温水温不適合暖房機の運転開始から予め定めたオンオフタイミング制御開始条件が満たされるまでの間は温水供給オンオフ弁をオン状態とし、前記オンオフタイミング制御開始条件が満たされたと判断したときに温水供給オンオフ弁のオン動作とオフ動作とを交互に繰り返す動作タイミングの制御を開始することを特徴とする。
【００１５】
さらに、第３の発明は、上記第２の発明の構成に加え、前記弁オンオフタイミング制御手段は、温水温不適合暖房機の運転開始から予め定めた設定待機時間が経過したときにオンオフタイミング制御開始条件が満たされたと判断して温水供給オンオフ弁のオン動作とオフ動作とを交互に繰り返す動作タイミング制御を開始することを特徴とする。
【００１６】
さらに、第４の発明は、上記第２または第３の発明の構成に加え、前記暖房機の暖房温度を検出する暖房温度検出手段を有し、弁オンオフタイミング制御手段は前記暖房温度検出手段により検出される温度が暖房機の暖房設定温度から予め定められた判断用基準温度を引いた値に達したときにオンオフタイミング制御開始条件が満たされたと判断して温水供給オンオフ弁のオン動作とオフ動作とを交互に繰り返す動作タイミング制御を開始することを特徴とする。
【００１７】
さらに、第５の発明は、上記第１乃至第４のいずれか一つの発明の構成に加え、前記暖房機の少なくとも１つは、温水を通すパイプが配設された板状のマット部と、該マット部に接続されて前記パイプと温水端末とを連通接続するヘッダーとを有する暖房マットであることを特徴とする。
【発明の効果】
【００１８】
本発明によれば、熱源機から温水を供給する温水端末の少なくとも１つには、暖房機を最適な状態で作動するための最適作動用温水温度が熱源機から供給される温水の温度と低温方向に異なる温水温不適合暖房機が接続されているが、この温水端末の近傍には、該温水端末に供給される温水の温度を検出する温水温度検出手段と、前記温水端末から対応する温水温不適合暖房機への温水供給オンオフ動作を行う温水供給オンオフ弁とが設けられ、弁オンオフタイミング制御手段が、温水温度検出手段により検出される検出温度に基づき、該検出温度と暖房機の暖房設定温度とに対応して予め定められたタイミング制御情報に従って、温水供給オンオフ弁のオンオフ動作のタイミングを制御する。
【００１９】
したがって、例えば熱源機から８０℃といった高温の温水を供給する既存の暖房システムの温水端末に、最適作動用温水温度が６０℃の暖房マット等の温水温不適合暖房機を接続しても、弁オンオフタイミング制御手段による温水供給オンオフ弁のオンオフ動作制御によって温水供給を制御すれば、温水温不適合暖房機を良好に作動させて快適な暖房を行うことができる暖房システムを実現できる。また、既存の暖房システムを利用することができるので、システム構築のコストダウンを図ることができる。
【００２０】
また、本発明において、弁オンオフタイミング制御手段は、温水温不適合暖房機の運転開始から予め定めたオンオフタイミング制御開始条件が満たされるまでの間は温水供給オンオフ弁をオン状態とし、前記オンオフタイミング制御開始条件が満たされたと判断したときに温水供給オンオフ弁のオン動作とオフ動作とを交互に繰り返す動作タイミングの制御を開始する構成によれば、温水温不適合暖房機の運転開始からオンオフタイミング制御開始条件が満たされるまでの間、温水供給オンオフ弁をオン状態とすることにより、温水温不適合暖房機の温度を迅速に高め、その後に温水供給オンオフ弁をオンオフさせて快適に暖房を行うことができる。
【００２１】
さらに、本発明において、弁オンオフタイミング制御手段は、温水温不適合暖房機の運転開始から予め定めた設定待機時間が経過するまでは温水供給オンオフ弁をオン状態とし、前記設定待機時間が経過したときにオンオフタイミング制御開始条件が満たされたと判断して温水供給オンオフ弁のオン動作とオフ動作とを交互に繰り返す動作タイミング制御を開始する構成によれば、設定待機時間中に温水温不適合暖房機の温度を迅速に高め、その後に温水供給オンオフ弁をオンオフさせて快適に暖房を行うことができる。
【００２２】
さらに、本発明において、暖房機の暖房温度を検出する暖房温度検出手段を有し、弁オンオフタイミング制御手段は前記暖房温度検出手段により検出される検出温度が暖房機の暖房設定温度から予め定められた判断用基準温度を引いた値に達するまでは温水供給オンオフ弁をオン状態とし、前記検出温度が前記暖房設定温度から判断用基準温度を引いた値に達したときにオンオフタイミング制御開始条件が満たされたと判断して温水供給オンオフ弁のオン動作とオフ動作とを交互に繰り返す動作タイミング制御を開始する構成によれば、温水温不適合暖房機の温度を暖房設定温度に近い温度に迅速に高め、その後に温水供給オンオフ弁をオンオフさせて快適に暖房を行うことができる。
【００２３】
さらに、暖房機の少なくとも１つは、温水を通すパイプが配設された板状のマット部と、該マット部に接続されて前記パイプと温水端末とを連通接続するヘッダーとを有する暖房マットである構成によれば、例えば既存の暖房システムを利用し、後付けでも暖房マットを利用できるので、需要が大きい床暖房を安いコストで快適に利用できる暖房システムを実現することができる。
【発明を実施するための最良の形態】
【００２４】
以下、本発明の実施の形態を図面に基づき説明する。図２には、本発明に係る暖房システムの一実施形態例が模式的に示されており、図１には、その制御構成がブロック図により示されている。
【００２５】
図２に示すように、本実施形態例の暖房システムは、図６に示した暖房システムにおいて、温水端末９（９ｂ）に、移動型ファンコンベクター４８の代わりに暖房マット５１を接続して形成されている。暖房マット５１は、最適作動用温水温度が６０℃であって、熱源機４０から供給される温水の温度（ここでは８０℃）よりも低温方向に異なる（低い）温水温不適合暖房機である。
【００２６】
本実施形態例の特徴は、このような温水温不適合暖房機を、暖房システムの温水端末９のうちの１つ以上の温水端末９（ここでは９ｂ）に接続し、温水温不適合暖房機（ここでは暖房マット５１）が接続されている温水端末９ｂの近傍に、図１に示すような、温水温度検出手段５２と、温水供給オンオフ弁５３と、弁オンオフタイミング制御手段５４とを有する制御構成を設けたことである。
【００２７】
温水温度検出手段５２は、暖房マット５１が接続されている温水端末９ｂに供給される温水の温度を検出する。温水温度検出手段５２は、検出温度を弁オンオフタイミング制御手段５４に加える。
【００２８】
温水供給オンオフ弁５３は、温水端末９から対応する温水温不適合暖房機（ここでは暖房マット５１）への温水供給オンオフ動作を行う。
【００２９】
弁オンオフタイミング制御手段５４は、時計機構５５から時間情報を取り込み、温水供給オンオフ弁５３のオン動作とオフ動作のタイミングを制御する。弁オンオフタイミング制御手段５４は、前記温水温度検出手段５２により検出される検出温度と、暖房温度設定手段５６により設定される暖房マット５１の暖房設定温度とに基づき、温水温度検出手段５２の検出温度と暖房マット５１の暖房設定温度とに対応して予め定められたタイミング制御情報に従って、温水供給オンオフ弁５３のオン動作とオフ動作のタイミングを制御する。
【００３０】
タイミング制御情報は、タイミング制御情報格納部５７に格納されており、その例が図３に示されている。例えば、図３（ａ）、（ｂ）は、温水温度検出手段５２により検出される検出温度と暖房マット５１の暖房設定温度とに対応する複数の個別データの例であり、図３（ｃ）は、温水温度検出手段５２により検出される検出温度と暖房マット５１の暖房設定温度とに対応させた温水供給オンオフ弁５３のオフ時間をまとめて表すデータの例である。
【００３１】
図３（ａ）に示すデータは、温水温度検出手段５２により検出される検出温度が８０℃の時の温水供給オンオフ弁５３のオン時間とオフ時間の推移を時系列的に表すデータであり、暖房設定温度（例えばＡ℃＞Ｂ℃＞Ｃ℃）に対応させて、暖房設定温度がＡ℃の時には特性線α、暖房設定温度がＢ℃の時には特性線β、暖房設定温度がＣ℃の時には特性線γとなる。
【００３２】
同様に、図３（ｂ）に示すデータは、温水温度検出手段５２により検出される検出温度が６０℃の時の温水供給オンオフ弁５３のオン時間とオフ時間の推移を時系列的に表すデータであり、暖房設定温度（例えばＡ℃＞Ｂ℃＞Ｃ℃）に対応させて、暖房設定温度がＡ℃の時には特性線α、暖房設定温度がＢ℃の時には特性線β、暖房設定温度がＣ℃の時には特性線γ、となる。なお、本実施形態例のように、熱源機４０から供給される温水温度が８０℃のみの場合には、図３（ａ）の各特性線α〜γに示すようなデータのみをタイミング制御情報として与えてもよい。
【００３３】
ここで、図３（ａ）に示すデータは、温水供給オンオフ弁５３のオン時間を、一定の値（例えば温水の流量が約１リットル／分の場合に約３．５分）とし、オフ時間を変えており、暖房設定温度が高いほどオフ時間を短く設定している。また、図３（ｂ）に示すデータは、オンオフ周期を２０分としてオン時間とオフ時間の割合を変えており、暖房設定温度が高いほどオフ時間の割合を小さく（オン時間の割合を大きく）設定している。
【００３４】
なお、現在、家庭用として利用されている一般的な暖房マット５１の大きさの内、最大のものは、温水流量が１．０リットル／分のときに暖房マット５１の入口側から出口側に温水が行き渡るまでに３．５分弱かかる。そこで、この時間より多めの時間である約３．５分を、図３（ａ）に示すデータにおける温水供給オンオフ弁５３のオン時間として与えている。
【００３５】
また、例えば熱源機４０から供給される温水の温度を８０℃と９０℃で可変できる場合には、オン時間を一定の値として設定し、かつ、例えば図３（ｃ）に示すように、温水温度が８０℃の時（特性線ａ）と温水温度が９０℃の時（特性線ｂ）とで、オフ時間を変化させるデータを与えてもよい。
【００３６】
さらに、例えば熱源機４０が供給する温水温度を３段階に切り替え可能な装置である場合、それぞれの温度に対応する特性線を与えると、それぞれの温水温度に適応することができる。
【００３７】
なお、タイミング制御情報は、テーブルデータにより与えてもよいし、演算式により与えてもよく、情報の形態は適宜設定されるものである。
【００３８】
本実施形態例において、弁オンオフタイミング制御手段５４は、暖房マット５１の運転開始から予め定めたオンオフタイミング制御開始条件が満たされるまでの間は温水供給オンオフ弁５３をオン状態とし、前記オンオフタイミング制御開始条件が満たされたと判断したときに、上記のように、図３（ａ）または図３（ｃ）の特性線ａのデータに基づき、温水供給オンオフ弁５３のオン動作とオフ動作とを交互に繰り返す動作タイミングの制御を開始する。
【００３９】
具体的には、弁オンオフタイミング制御手段５４は、暖房マット５１の運転開始から予め定めた設定待機時間（例えば２０分）が経過したときにオンオフタイミング制御開始条件が満たされたと判断し、温水供給オンオフ弁５３のオン動作とオフ動作とを交互に繰り返す動作タイミング制御を開始するように構成されている。
【００４０】
なお、暖房マット５１は、例えば図４に示すように、温水を通すパイプ６が配設された板状のマット部（マット材）６２と、該マット部６２に接続されて前記パイプ６と温水端末９とを連通接続するヘッダー６１とを有しており、マット部６２は、四角形状をした発泡スチロール等により形成されている。通常は、マット部６２の表面にパイプ６を配線するための溝が形成され、その溝にパイプ６が収容されて配線敷設されている。
【００４１】
また、マット部６２の互いに対向する辺側からマット部６２の長手方向（対向辺の辺長方向）に間隔を介して、互い違いに相手側の辺方向に伸張するスリットが複数形成され、その各スリットに、例えば木材や合成樹脂製の小根太６３と小小根太６５が収容配置されている。小根太６３の間隔は、例えば３０３ｍｍピッチで等間隔と成している。
【００４２】
なお、小根太６３や小小根太６５のような角材を配設していないカーペット状の放熱マットもある。このような暖房マット５１を本実施形態例に適用することも可能であり、このようなカーペット状の暖房マット５１は、電気カーペットのように床の上に設置するものもあるし、床下に設置するものもある。
【００４３】
マット部６２の上面には、通常、前記パイプ６と根太（小根太６３および小小根太６５）とを覆うように、シート状の放熱部材であるアルミ箔（同図には図示せず）が接着形成されている。
【００４４】
また、本発明に適用される熱源機４０の構成は特に限定されるものではないが、本実施形態例では、例えば図５に示す構成を有し、暖房用の温水供給を行う機能を有すると共に、台所等の給湯場所への給湯機能と、浴槽への注湯や浴槽湯水の追い焚き等の機能も有するガス燃焼式の熱源機４０を適用している。以下に、その構成を簡単に説明する。
【００４５】
熱源機４０の燃焼室５０内には、それぞれ、加熱装置としての給湯バーナ１（１ａ，１ｂ，１ｃ）が燃焼室５０ａ内に、暖房用バーナ２（２ａ，２ｂ）が燃焼室５０ｂ内に配置され、これらの各バーナ１，２に燃料ガスを供給する供給系としてのガス通路４９が接続されている。
【００４６】
ガス通路４９には通路の開閉を行う電磁弁３７，３８と開弁量によってガス供給量を制御する比例弁３９とが介設されている。給湯バーナ１と暖房用バーナ２の下方側にはそれぞれ、各バーナ１，２の燃焼の給排気を行う燃焼ファン２６，２７が設けられており、給湯バーナ装置１と暖房用バーナ２の上方側には、それぞれ、給湯熱交換器７、暖房用熱交換器１６が配置されている。
【００４７】
給湯熱交換器７の入側には給水通路５が、出側には給湯通路１１がそれぞれ接続されており、給水通路５側の通路には流量センサ４と入水温度センサ６６が設けられ、また、給湯通路１１側の通路には給湯温度センサ８が設けられている。給湯通路１１は、注湯路１４と注湯電磁弁１３と管路１９を介し、風呂の戻り管２４に接続されている。
【００４８】
暖房用熱交換器１６の入側には入水通路４１が、出側には出水通路４２がそれぞれ接続されており、入水通路４１と出水通路４２にはそれぞれ、温度センサ３３，３４が設けられている。入水通路４１には暖房用ポンプ３１の吐出口側が設けられており、暖房用ポンプ３１の吸い込み口側には暖房シスターン３５を介して暖房用戻り管２８と分岐通路４３とが接続されている。分岐通路４３は電磁弁４４を介し、前記出水通路４２に接続されている。
【００４９】
暖房用ポンプ３１の駆動に伴い、暖房用の湯水が暖房用戻り管２８、入水通路４１、暖房用熱交換器１６、出水通路４２を通り、暖房用往管２９を介して前記温水端末９（同図には図示せず）に供給され、暖房機を通り、その後、温水端末９から暖房用戻り管２８に戻される。このとき、前記暖房用バーナ２の燃焼が行われると、この燃焼に伴い、暖房用熱交換器１６を通る湯水温が高められ、出水通路４２と暖房用往管２９を通って温水端末９に送られる温水の温度が高められる。
【００５０】
また、図５には、暖房用戻り管２８と暖房用往管２９は１つずつしか示されていないが、これらの通路は温水端末９の数（例えば、図２に示す態様の場合は２個）に対応させて分岐され、例えば分岐された通路に設けられた熱動弁を開くことによって、所望の温水端末９（９ａ，９ｂ）に温水を連続して供給できるように構成されている。
【００５１】
なお、この熱源機４０を用いての風呂の追い焚きは、電磁弁４４を開いて温水を分岐通路４３に通すことにより、分岐通路４３の周りを覆う態様で風呂用往管２３の途中部を設けて形成した追い焚き熱交換器１５によって行われる。浴槽湯水は、風呂用戻り管２４と風呂用往管２３とにより形成された風呂用の追い焚き循環路２５を通して循環されるものであり、図中、１８は風呂温度センサ、２２は流水スイッチ、２１は循環ポンプ、２０は水位センサ２０をそれぞれ示す。
【００５２】
本実施形態例は以上のように構成されており、暖房マット５１が接続されている温水端末９（９ｂ）の近傍には、温水温度検出手段５２と温水供給オンオフ弁５３とが設けられ、弁オンオフタイミング制御手段５４が、温水温度検出手段５２により検出される検出温度に基づき、該検出温度と暖房マット５１の暖房設定温度とに対応して予め定められたタイミング制御情報に従って温水供給オンオフ弁５３のオンオフ動作のタイミングを制御する。
【００５３】
したがって、例えば熱源機４０から８０℃といった高温の温水を供給する既存の暖房システムの温水端末９ｂに、最適作動用温水温度が６０℃の暖房マット５１を接続しても、弁オンオフタイミング制御手段５４による制御によって温水供給オンオフ弁５３を制御して暖房マット５１への温水供給のタイミングを制御すれば、暖房マット５１を良好に作動させて快適な暖房を行うことができる。また、本実施形態例の暖房システムは、既存の暖房システムを利用することにより、システム構築のコストダウンを図ることができる。
【００５４】
さらに、熱源機４０を買い換えても、８０℃の温水供給配管に、弁オンオフタイミング制御手段５４と最適作動用温水温度が６０℃の暖房マット５１を接続して利用し続けることができるし、６０℃の温水供給配管に、最適作動用温水温度が６０℃の暖房マット５１を接続するときには、弁オンオフタイミング制御手段５４を設けずに暖房マット５１を用いることができる。
【００５５】
また、本発明において、弁オンオフタイミング制御手段５４は、暖房マット５１の運転開始から予め定めたオンオフタイミング制御開始条件が満たされるまで、つまり、暖房マット５１の運転開始から予め定めた設定待機時間が経過するまでの間は温水供給オンオフ弁５３をオン状態とし、暖房マット５１の運転開始から前記設定待機時間が経過して前記オンオフタイミング制御開始条件が満たされたと判断したときに、温水供給オンオフ弁５３のオン動作とオフ動作とを交互に繰り返す動作タイミングの制御を開始するので、暖房マット５１の温度を迅速に高め、その後に温水供給オンオフ弁をオンオフさせて快適に暖房を行うことができる。
【００５６】
なお、本実施形態例は、熱源機４０からは８０℃の高温の温水を温水端末９に供給する構成としているが、例えば熱源機４０から６０℃の温水と８０℃の温水の両方を供給可能な場合には、弁オンオフタイミング制御手段５４は、以下のように温水供給オンオフ弁５３のオンオフタイミング制御を行うようにしてもよい。
【００５７】
例えばエアコン４７の作動が行われずに熱源機４０から６０℃の温水が供給された場合には、弁オンオフタイミング制御手段５４は、図３の（ｂ）に示したような６０℃対応のタイミング制御情報に従って温水供給オンオフ弁５３のオンオフタイミング制御を行い、エアコン４７の作動によって８０℃の温水が熱源機４０から供給されるようになったときには、図３（ａ）に示したような８０℃対応のタイミング制御情報に従って温水供給オンオフ弁５３のオンオフタイミング制御を行うようにしてもよい。
【００５８】
つまり、仮に、温水端末９に供給される温水温度が可変されるシステムにおいて６０℃の温水供給を行おうとすると、提案例の暖房パネルは６０℃の温水供給には全く対応できないが、本発明においては、温水端末９に供給される温水温度が可変されるシステムにおいても、タイミング制御情報を適宜与えることにより、弁オンオフタイミング制御手段５４が、臨機応変に温水供給オンオフ弁５３のオンオフタイミングを制御して、暖房マット５１を的確に動作させ、快適な暖房を行うことができる。
【００５９】
なお、本発明は上記実施形態例に限定されることはなく、様々な態様を採り得る。例えば、上記実施形態例では、温水温不適合暖房機として暖房マット５１を設けたが、暖房マット５１以外の温水温不適合暖房機を温水端末９に接続して暖房システムを形成してもよい。
【００６０】
また、暖房システムに設けられる温水端末９の数や配置場所は特に限定されるものでなく、適宜設定されるものであり、その温水端末９のうち、少なくとも１つに温水温不適合暖房機を接続して暖房システムを形成すればよい。
【００６１】
さらに、上記実施形態例では、弁オンオフタイミング制御手段５４は、暖房マット５１の運転開始から予め定めた設定待機時間が経過したときに、オンオフタイミング制御開始条件が満たされたと判断したが、弁オンオフタイミング制御手段５４によるオンオフタイミング制御開始条件は適宜設定されるものである。
【００６２】
例えば、図１の破線に示すように、暖房温度検出手段５８を設け、この暖房温度検出手段５８によって暖房マット５１等の暖房機の暖房温度を検出し、この温度が暖房マット５１の暖房設定温度から予め定められた判断用基準温度を引いた値に達したときに、弁オンオフタイミング制御手段５４はオンオフタイミング制御開始条件が満たされたと判断して、温水供給オンオフ弁５３のオン動作とオフ動作とを交互に繰り返す動作タイミング制御を開始するようにしてもよい。
【００６３】
また、上記実施形態例では、弁オンオフタイミング制御手段５４による温水供給オンオフ弁５３のオン動作とオフ動作のタイミング制御を行うためのタイミング制御情報を、図３（ａ）〜（ｃ）に示すようなデータのうち適宜のデータとしたが、タイミング制御情報は、適宜設定されるものである。つまり、タイミング制御情報は、温水温度検出手段５２により検出される検出温度と暖房マット５１等の温水温不適合暖房機の暖房設定温度とに対応して予め定められたタイミング制御情報であればよく、例えば、温水温度が８０℃や９０℃の時にも、温水供給オンオフ弁５３のオフ時間を変動させるだけでなく、オン時間も変動させてもよい。
【００６４】
また、現在用いられている暖房マット５１は、その大きさが小から中になるにしたがって、パイプ６の入口から出口に至る時間が、パイプ６の長さによって例えば３分から４分に変わっていくので、暖房マット５１のオン時間を暖房マット５１のサイズに応じてコントロールできる手動設定部を設けてもよい。なお、現在用いられている暖房マット５１は、暖房マット５１の大きさが大きくなると、パイプ６が二重に配設されるようになるので、暖房マット５１のサイズが小→中→大→特大となっていくとき、パイプ６の入口から出口に至る時間は、例えば３分→４分→３分→４分といったように変化する。
【００６５】
さらに、上記実施形態例では、熱源機４０が、暖房用の温水供給を行う機能の他に、給湯と追い焚きの機能を有していたが、熱源機４０は、少なくとも暖房用の温水供給を行う機能を有していればよい。
【００６６】
さらに、上記実施形態例では、熱源機は、ガス燃焼式の装置としたが、石油燃焼式の装置としてもよいし、電気による加温（加熱）方式の装置としてもよい。
【図面の簡単な説明】
【００６７】
【図１】本発明に係る暖房システムの一実施形態例の制御構成を示すブロック図である。
【図２】上記実施形態例の暖房システムの構成を示す模式図である。
【図３】本発明に係る暖房システムに適用されるタイミング制御情報の例を示すグラフである。
【図４】暖房マットの一例を示す説明図である。
【図５】上記実施形態例に適用する熱源機のシステム構成例を模式的に示す説明図である。
【図６】従来の暖房システムの一例を示す模式図である。
【符号の説明】
【００６８】
４０    熱源機
５１    暖房マット
５２    温水温検出手段
５３    温水供給オンオフ弁
５４    弁オンオフタイミング制御手段
５６    暖房温度設定手段
５７    タイミング制御情報格納部
５８    暖房温度検出手段
【図１】
0004771781.tif 000002
【図２】
0004771781.tif 000003
【図３】
0004771781.tif 000004
【図４】
0004771781.tif 000005
【図５】
0004771781.tif 000006
【図６】
0004771781.tif 000007